(57)【要約】剃刀柄部品において、剃刀柄区分は、第一本体部を有する第一柄区分及び第二本体部を有する第二柄区分を有し、一般的に第一及び第二本体部は相互に鏡像関係にある。第一及び第二柄区分は相互に連結し、閉口端と反対側にある一般的に開口した端とを共に形成する。先端部分は、開口端における第一及び第二本体部分の間に入れられ、使い捨ての剃刀カートリッジを剃刀柄に取外し可能に取付ける為の留め具を有する。芯は第一及び第二本体部分の間に位置され、第一及び第二柄区分により形成された閉口端のそばに片端を有する。
2006521158.tif 000002
【特許請求の範囲】
【請求項１】
第一本体部分を有する第一柄区分と、
前記第一本体部分とお互いに鏡像関係にある第二本体部分を有する第二柄区分と、
第一及び第二柄区分が閉口端と前記閉口端と反対側に在る開口端とを共に形成する為に、上記第一及び第二柄区分をお互いに連結する取付け手段と、
前記開口端における前記第一と第二本体区分の間に入れられる先端部品に剃刀カートリッジを取外し可能に留める先端部品定義手段と、
前記第一と第二本体区分との間に入れられ、前記閉口端に隣接する片端を有する芯と、を有する剃刀柄部品。
【請求項２】
前記取付け手段は、前記第一又は第二柄部分の一方から外側に突き出している少なくとも一のスタッドと前記スタッドの端を受領するように構成された前記第一又は第二柄区分の他の一方にある少なくとも一の穴とを有し、
前記穴のそれぞれの一において前記スタッドの前記端を安定させる固定手段を有する、請求項１に記載の剃刀柄部品。
【請求項３】
三つのスタッドの内には、次に続くスタッドとそれぞれ離れて位置し、第一又は第二柄部分の内の一から外側に突出した少なくとも一の前記スタッドがあり、
少なくとも三つの穴の中には、前記スタッド内の一つの端をそれぞれ受領するようにそれぞれ構成された前記少なくとも一の穴がある、請求項２に記載の剃刀柄。
【請求項４】
前記固定手段はリベットを有する、請求項２に記載の剃刀柄。
【請求項５】
前記固定手段は粘着物を有する、請求項２に記載の剃刀柄。
【請求項６】
前記第一及び第二柄区分は金属で形成される請求項１に記載の剃刀柄。
【請求項７】
前記第一及び第二柄区分はダイカスト・金属で形成される請求項６に記載の剃刀柄。
【請求項８】
前記スタッドの一は前記先端部品を貫通して伸び、前記スタッドの他は前記芯を貫通して伸びる請求項３に記載の剃刀柄。
【請求項９】
前記芯はエラストリック・ポリマから形成される請求項１に記載の剃刀柄。
【請求項１０】
前記芯は、第二芯区分に結合された第一芯区分を有する請求項１に記載の剃刀柄。
【請求項１１】
前記第一と第二剃刀区分とのそれぞれに結合され、一般にお互い反対側に位置される一対の側挿入物からさらに構成される請求項１に記載の剃刀柄。
【請求項１２】
それぞれの前記側挿入物は、前記側挿入物の内表面から外側へ伸びる少なくとも一の突出物を定め、
それぞれの前記突出物は、各前記第一と第二柄区分とにより定められた相補成型された穴において摩擦的に入れられる請求項１１に記載の剃刀柄。
【請求項１３】
前記側挿入物はエラストリック・ポリマから成型される請求項１２に記載の剃刀柄。
【請求項１４】
前記柄部品は、側面から外側に突き出した一般に向かい合った突起を定める剃刀柄であって
前記柄区分のそれぞれは、前記突起の一を受領し勘合する為の凹部を有する請求項１に記載の剃刀柄。
【請求項１５】
前記側挿入物のそれぞれが、前記剃刀柄をユーザが握り易くする為に隆起した複数の部分を定める請求項１１に記載の剃刀柄。
【請求項１６】
前記芯は、一般的に向かい合い、露出され、前記第一と第二の柄区分との間を伸びる一対の握り面を定める請求項１に記載の剃刀柄。
【請求項１７】
前記柄は、前記第一及び第二の柄区分、前記芯の端、並びに、前記先端部品の端により境界を定められる穴であって、剃刀の入れ物から外側に突出した少なくとも一の伸長部分とかみ合うように構成され、それにより、前記剃刀柄と前記剃刀本体部を取外し可能に連結する穴を有する請求項１に記載の剃刀柄。
【請求項１８】
第一本体区分を有する第一金属柄部分と、
前記第一本体区分とお互いに鏡像関係にある第二本体区分を有する第二金属柄部分と、
前記第二柄区分に結合され、閉口端と一般的に反対側にある開口端を共に形成する前記第一柄区分と、
前記第一と第二柄区分との間に入れられ、一般的に向かい合い、露出された握り面を有し、前記閉口端に隣接して設置される端を有するエラストリック・プラスティック芯と、
前記開口端において前記第一と第二の本体部の間に入れらる先端部品について、取外可能に剃刀カートリッジを留める前記先端部品定義手段と、から構成される剃刀柄。
【請求項１９】
第一又は第二柄区分の内の一とそれぞれ結合される一対のエラストメリックな側挿入物からさらに構成され、前記側挿入物のそれぞれは、前記芯により定まる前記露出された握り面にほぼ垂直な露出された外表面を定める、請求項１８に記載の剃刀柄。
【請求項２０】
前記剃刀柄は、前記第一及び第二の柄区分、前記芯の端、並びに、前記先端部品の端により境界を定められる穴であって、剃刀入れから外側に突出している伸長部分の少なくとも一とかみ合うように構成される前記穴を有する請求項１８に記載の剃刀柄。
【発明の詳細な説明】
【技術分野】
【０００１】
関連出願の相互参照
本願は、２００３年０３月２８日に出願された米国仮特許出願６０／４５８，６７５に開示された本質的な内容は参照によって本明細書に組み込まれる。
【０００２】
発明の分野
本発明は一般的に剃刀機器関し、特に剃刀機器の柄の部分に関する。
【背景技術】
【０００３】
シェービング・コンフォートは、現在の剃刀のデザインにおいて、いよいよ重要な問題となった。シェービング・コンフォートに大いに貢献する一要素は剃刀柄の形状である。歴史的に、柄は、剃刀カートリッジを携帯する刃の支えに過ぎないといった扱いがなされてきた。そのため、それらをよりユーザフレンドリにする為のデザインへ思考力や想像力はほとんど注がれなかった。
【０００４】
近年、ユーザの握りの形状により密接に従う体型に合わせた形を開発することで、剃刀柄を改良する努力がなされている。しかし、これらの柄は、剃毛時の湿った環境においてはすべり易く且つ操作し難い硬い滑らかな素材で度々形成される。うねりのある表面を足すことや、ゴムのような異なった素材を表面に使用するといった試みがなされている。しかし、異なった素材が剃刀全てについて一般的に使用される訳ではない、それ故に、握りを改良した効果は、ある方法で剃刀を握った時には得られるがそうでない場合には得られえない。
【０００５】
先行技術において剃刀柄は、柄の全体的な外周を形成し、共に連結された二つの通常金属かハード・プラスチック製の柄区分を備える方法で典型的には組み立てられる。剃刀を握りやすくする為になされる改良では、大抵、柄の小さな穴を通じて伸びるエラストマ素材と言う小領域を有する。これにより、ある程度握りやすくなるが、一般に、剃毛動作中の取扱いにおける適度な快適性を提供すると言う問題を解決するために十分な対処をしていない。
【発明の開示】
【発明が解決しようとする課題】
【０００６】
以上の点に鑑みて、本発明の一般的目的は、先行技術に関連した問題点と欠点を打開するか又は改良する事である。
【課題を解決するための手段】
【０００７】
本発明は、第一及び第二側区分を有する剃刀柄の一態様に属し、第一側区分は第一基礎部分を定め、第二側区分は第二基礎部分を定める。第一と第二基礎部分とはお互いに鏡像関係にあり、お互いに結合した時には、閉口端及び一般に反対側に開口端を形成する。剃刀柄は、第一と第二柄区分との間におかれる芯をさらに有し、その芯は柄区分の閉口端に隣接した端を有する。取外し可能に剃刀カートリッジと結合する手段を定める先端部品は、また第一と第二柄区分との間に入れられ、その開口端に位置する。第一及び第二の剃刀区分をお互いに結合する取付手段もまた提供される。
【０００８】
望ましくは、取付手段は、第一と第二本体部分との内の一方から伸び、第一と第二本体部分との内のもう一方により定められる穴によって受領される少なくとも一のスタッドを有する。芯は、限定されるのではないが、ゴム又はエラストリックポリマのような適切な握り特性をもたらす素材から形成される事が望ましい。
【０００９】
本発明における望ましい実施例において、第一及び第二柄区分はダイカスト金属から形成され、上記の柄区分を互いに留める単一のスタッドの代わりに、取付手段は複数個のスタッドを有し、それらの内の少なくとも１つは先端部品を通じて伸び、それらの内の他のものは、剃刀柄に先端部品と芯を留めるのに役立つだけでなくそれらを適切な位置に収める。
【００１０】
側挿入物は、また、できるならば備えられ、第一柄区分及び第二柄区分のそれぞれに結合される。本発明における望ましい実施例では、側挿入物は、内表面から外側に突出するそれぞれが定める伸長物を備えられる。伸長物は、第一柄区分及び第二柄区分のそれぞれにより定められた穴と対になるように相補成型された結合すべき穴と摩擦をもって接合することができる。一旦、組み立てられると、側挿入物は、芯により定められる外表面に対してほぼ垂直となる。芯と同様に、側挿入物は、限定するわけではないが、ゴムやエラストメリック・ポリマのような適度な握り特性をもたらす素材から作られる。
【発明を実施するための最良の形態】
【００１１】
図１に示すように、一般的に参照番号１０で表記される剃刀は１０は、一般的に参照番号１２で表記される柄とハンドルの先端部分に取外し可能に取り付けられた使い捨て可能な剃刀カートリッジ１４とを有する。穴１８は、ハンドル１４により定められ、また、入れ物（図示はしていない）の一部を受け入れるように構成されており、使用しないときに剃刀をその上へ取外し可能に留めておくことができる。
【００１２】
図３に示すように、剃刀柄１２は、第一柄区分及び第二柄区分を有し、それぞれ一般的に参照番号２０及び２２で表記される。第一柄区分２２は第一本体部２４を有する。同様に、第二柄区分は２２は、第二の本体部２６を有する。第一及び第二の本体部、それぞれそれぞれ２４及び２６は、できるならば適切な素材、限定する訳ではないがダイキャストアルミニウムのようなものから形成され、通常はお互いに鏡像関係にある。
【００１３】
図示された実施例では、第一柄区分２０は、第一本体部２４から外側に突出した３つのスタッド２８、３０及び３２を有する。スタッド２８、３０及び３２の終端は、それぞれ第二柄区分２２によって定められる穴３４により受け入れられる。図１に戻って参照すると、組み立てられた時にリベット３６（2個だけ示されている）は穴３４に配置され、それにより第一及び第二柄区分、それぞれ２０及び２２はともに連結される。一旦、第一と第二柄区分、それぞれ２０と２２とがお互いに取り付けられると、図１に最も良く示されるように、それらは閉口端３８と開口端３９を共に定める。
【００１４】
スタッド２８、３０及び３２並びに３つの穴が示され、記載された一方で、３つより多いまたはより少ないスタッド及び穴は、本発明のより広義の態様から逸脱することなく使用され得ると言う事に関して本発明はこれに限定されない。更に、スタッドは、第一本体部２４から伸びる様に示された。しかし、スタッドは、第二本体部２６から、又は、第一本体部及び第二本体部の両方から突き出るとすることができると言う事に関して本発明はこれに限定されない。同様の事は、穴３４についても当てはまり、それら全ては、第一又は第二柄区分２０又は２２のいずれか一方、又は、各ハンドル区分によって、穴の一部を定められ得る。さらに、リベット３６が示され、記述された一方で、粘着物、ネジ、ハンダ又は溶接のような他の固定方法が使用され得ると言う事に関して本発明はこれに限定されない。
【００１５】
図３を参照し、柄１２は、第一と第二本体区分２０と２２とのそれぞれの間に入れられる芯４０を有する。芯は、第一及び第二柄区分２０及び２２により形成される閉端３８に隣接した端４２を有する。芯４０は、エラストマ、エラストメリック・ポリマ、ポリマのような適切な素材を原料としてできている。芯４０は、第一及び第二芯区分４４及び４６を有し、粘着物によりお互いに取り付けられ、組み立てられた時にスタッド３０が貫通する穴４８の一部をそれぞれ定める。芯４０は、その表面の反対側へ一般に伸びる複数のリブ５０を定める。リブ５０は、それぞれ第一及び第二柄区分のそれぞれにより定められる相補成型された溝５２により受け入れられる。リブ５０と相まった溝５２は、それぞれ第一柄区分及び第二柄区分に対し芯４０を適切な位置に合わせるのに役立つ。さらに、図示された実施例においては、芯４０の上表面５４により、上面にエンブレムを有する同じ様に形成されたエンブレム・プレートを受け入れる為の凹部５６は定められる。しかし、凹部５６とエンブレムプレート５８とは、本発明のより広義の態様から逸脱することなく省略され得ると言う事に関して本発明はこれに限定されない。さらに、第一及び第二芯区分４４及び４６が示され記述された一方で、芯は原料である単一の部品から形成され得ると言う点で本発明はこれに限定されない。
【００１６】
依然図３を参照し、柄１２は、一対の側挿入物６０を有し、それらは側挿入物の内表面から外側へ伸びる３つの突出物６２をそれぞれ有する。突出物６２は第一及び第二柄区分２０及び２２のそれぞれにより定められる相補成型されたスロット６６とそれぞれ摩擦をもって接合する。各側挿入物６０は、限定する訳ではないが、エラストマ、エラストメリック・ポリマ、ポリマのような適切な材料から作られる。側挿入物６０を第一及び第二柄区分２０及び２２に取り外すことができないように固定するために、粘着物質が使用される。突出物６２及びスロット６６が示され、記述された一方で、本発明のより広義の態様から逸脱することなく、側挿入物が単に柄区分に接着取付けされ得ると言う事に関して本発明はこれに限定されない。
【００１７】
参照番号６８で一般的に表記される先端部品は、それぞれ第一と第二柄区分２０と２２との間に入れられ、その傍に形成された開口端３９に位置する。先端部品６８は、上にある剃刀カートリッジ１４を取外し可能に留めておくカートリッジ固定装置７０を有する。剃刀柄から剃刀カートリッジ１４を取外し又は取り付けるために、ボタン７４は前側に動かされ、それにより剃刀カートリッジは柄から分離する。先端部品６８は、通常反対側に位置する（図示されたような）突起７６を有し、突起７６は、第一及び第二柄区分２０及び２２のそれぞれのいずれか一方により定められる相補成型された凹部７８と勘合する。突起７６が凹部７８と結合することで、先端区分６８は、剃刀柄１２において適切な位置に合わされる。さらに、先端区分６８は、スタッド２８が貫通して突出し、さらには先端区分の位置を固定する穴８０を定める。しかし、スタッド２８は先端区分６８を貫通する必要が無いと言う点で本発明はこれに限定されない。さらに又は択一的に、先端区分６８は、機械的に固定される為、第一と第二柄区分２０と２２とのそれぞれについて粘着物で接着され得る。図１に戻って参照し、穴１８は、第一と第二柄区分２０と２２とのそれぞれ、先端区分６８及び芯４０によって定められる。
【００１８】
本発明は、その詳細な実施例について示され、また、説明されたのだが、当業者は、様々な変更物が作られるかもしれず、また、様々な代替物が本発明の態様から逸脱することなく要素を置換し得ると言うことが直ちに分かるでだろう。さらに、本発明の本質的態様から逸脱することなく特異な状況や素材を本発明の開示に適用する修正物が作られるであろう。それ故に、上記の詳細な説明で開示された特異な実施例に限定されるのではなく、本発明は、追加されたクレームの範囲に収まるすべての実施例を含むという事を意図する。
【図面の簡単な説明】
【００１９】
【図１】本発明の実施例である柄を有する剃刀の側面図である。
【図２】図１における剃刀の平面図である。
【図３】図１における剃刀の展開部品図である。
【図１】
2006521158.tif 000003
【図２】
2006521158.tif 000004
【図３】
2006521158.tif 000005
【手続補正書】
【提出日】平成18年4月29日(2006.4.29)
【手続補正１】
【補正対象書類名】特許請求の範囲
【補正対象項目名】全文
【補正方法】変更
【補正の内容】
【特許請求の範囲】
【請求項１】
第一胴体部分（２４）を有する第一柄区分（２０）と、
前記第一胴体部分（２４）とお互いに鏡像関係にある第二胴体部分（２６）を有する第二柄区分（２２）と、
第一及び第二柄区分（２０及び２２）が、閉口端（３８）と前記閉口端（３８）と反対側に在る開口端（３９）とを共に形成する為に、前記第一及び第二柄区分（２０及び２２）をお互いに連結する取付け手段と、
前記開口端（３９）における前記第一と第二胴体区分（２４と２６）との間に入れられる先端部品（６８）に剃刀カートリッジ（１４）を取外し可能に留める前記先端部品（６８）定義手段と、
前記第一と第二胴体区分（２４と２６）との間に入れられ、前記閉口端（３８）に隣接する片端（４２）を有する芯（４０）と、を特徴とする剃刀柄部品（１２）。
【請求項２】
前記取付け手段は、前記第一又は第二柄部分（２０又は２２）の一方から外側に突き出している少なくとも一のスタッド（２８、３０又は３２）と前記スタッド（２８、３０又は３２）の端を受領するように構成された前記第一又は第二柄部分（２０又は２２）の他の一方にある少なくとも一の穴（３４）とを有し、
前記穴（３４）のそれぞれの一において前記スタッド（２８、３０又は３２）の前記端を安定させる固定手段を有する、請求項１に記載の剃刀柄部品（１２）。
【請求項３】
三つのスタッド（２８、３０及び３２）の内には、次に続くスタッド（２８、３０又は３２）とそれぞれ離れて位置し、前記第一又は第二柄部分（２０又は２２）の内の一から外側に突出した前記少なくとも一のスタッド（２８、３０又は３２）があり、
少なくとも三つの穴（３４）の中には、前記スタッド（２８、３０又は３２）の内の一つの端をそれぞれ受領するようにそれぞれ構成された前記少なくとも一の穴（３４）がある、請求項２に記載の剃刀柄（１２）。
【請求項４】
前記固定手段はリベット（３６）を有する、請求項２に記載の剃刀柄（１２）。
【請求項５】
前記固定手段は粘着物を有する、請求項２に記載の剃刀柄（１２）。
【請求項６】
前記スタッド（２８、３０又は３２）の一は前記先端部品（６８）を貫通して伸び、前記スタッド（２８、３０又は３２）の他は前記芯（４０）を貫通して伸びる請求項３に記載の剃刀柄（１２）。
【請求項７】
前記芯（４０）は、第二芯区分（４６）に結合された第一芯区分（４４）を有する請求項１に記載の剃刀柄（１２）。
【請求項８】
前記剃刀柄は、前記第一と第二剃刀区分とのそれぞれに結合され、一般にお互い反対側に位置される一対の前記側挿入物（６０）を有する請求項１に記載の剃刀柄（１２）。
【請求項９】
それぞれの前記側挿入物（６０）は、前記側挿入物（６０）の内表面（６４）から外側へ伸びる少なくとも一の突出物（６２）を定め、
それぞれの前記突出物（６２）は、各前記第一と第二柄区分（２０と２２）とにより定められた相補成型されたスロット（６６）において摩擦的に入れられる請求項８に記載の剃刀柄（１２）。
【請求項１０】
前記柄部品（６８）は、側面から外側に突き出した一般に向かい合った突起（７６）を定める剃刀柄であって
前記柄区分（２０及び２２）のそれぞれは、前記突起（７６）の一を受領し勘合する為の凹部（７８）を有する請求項１に記載の剃刀柄（１２）。
【請求項１１】
前記側挿入物（６０）のそれぞれが、前記剃刀柄（１２）をユーザが握り易くする為に隆起した複数の部分を定める請求項８に記載の剃刀柄（１２）。
【請求項１２】
前記芯は（４０）、一般的に向かい合い、露出され、前記第一と第二の柄区分（２０と２２）との間を伸びる一対の握り面を定める請求項１に記載の剃刀柄（１２）。
【請求項１３】
前記剃刀柄（１２）は、前記第一及び第二の柄区分（２０及び２２）、前記芯（４０）の端、並びに、前記先端部品（６８）の端により境界を定められる穴（１８）であって、剃刀入れから外側に突出している少なくとも一の伸長部分とかみ合うように構成され、それにより、前記剃刀柄（１２）を前記剃刀入れに取外し可能に連結させる前記穴（１８）を有する請求項１に記載の剃刀柄（１２）。
【請求項１４】
第一胴体区分（２４）を有する第一金属柄部分（２０）と、
前記第一胴体区分（２４）とお互いに鏡像関係にある第二胴体区分（２６）を有する第二金属柄部分（２２）と、
前記第二柄区分（２２）に結合され、閉口端（３８）と一般的に反対側にある開口端（３９）を共に形成する前記第一柄区分（２０）と、
前記第一と第二柄区分と（２０と２２）との間に入れられ、一般的に向かい合い、露出された握り面を有し、前記閉口端（３８）に隣接して設置される端を有するエラストリック・プラスティック芯（４０）と、
前記開口端（３９）において前記第一と第二の胴体部（２４と２６）との間に入れられる先端部品（６８）について、取外可能に剃刀カートリッジ（１４）を留める前記先端部品（６８）定義手段と、を特徴とする剃刀柄（１２）。
【請求項１５】
前記剃刀柄は、前記第一又は第二柄区分（２０又は２２）の内の一とそれぞれ結合される一対のエラストメリックな側挿入物（６０）を有し、前記側挿入物（６０）のそれぞれは、前記芯（４０）により定まる前記露出された握り面にほぼ垂直な露出された外表面を定める、請求項１４に記載の剃刀柄（１２）。
【請求項１６】
前記剃刀柄（１２）は、前記第一及び第二の柄区分（２０及び２２）、前記芯（４０）の端、並びに、前記先端部品（６８）の端により境界を定められる穴（１８）であって、剃刀入れから外側に突出している少なくとも一の伸長部分とかみ合うように構成され、それにより前記剃刀柄（１２）を前記剃刀入れに取外し可能に連結させる前記穴（１８）を有する請求項１４に記載の剃刀柄（１２）。
【国際調査報告】
2006521158.tif 000006
2006521158.tif 000007